(57)【要約】【課題】ケース部材に囲まれて配置される外装部材の破損を抑制すること。【解決手段】携帯端末装置は、一面に開口部が形成され、この開口部を囲む額縁部であって内壁によって開口部を形成する額縁部を有するケース部材と、開口部に配置され、外縁の端面が額縁部の内壁に対向する外装部材とを有する。額縁部は、内壁よりも外装部材から離れた所定の範囲に、任意の接線の接点を通る法線が額縁部の内壁の根元を基準として外装部材とは反対側を延伸する形状の曲面を有する。【選択図】図２
2015211394.tif 000002
【特許請求の範囲】
【請求項１】
一面に開口部が形成され、前記開口部を囲む額縁部であって内壁によって前記開口部を形成する額縁部を有するケース部材と、
前記開口部に配置され、外縁の端面が前記額縁部の内壁に対向する外装部材とを有し、
前記額縁部は、
前記内壁よりも前記外装部材から離れた所定の範囲に、任意の接線の接点を通る法線が前記額縁部の内壁の根元を基準として前記外装部材とは反対側を延伸する形状の曲面を有することを特徴とする携帯端末装置。
【請求項２】
前記額縁部は、
前記額縁部の内壁から前記内壁に垂直な方向の厚みが最も厚い位置から、前記額縁部の内壁の根元から前記内壁の延伸方向の高さが最も高い位置までの範囲に、前記曲面を有することを特徴とする請求項１記載の携帯端末装置。
【請求項３】
前記額縁部は、
前記曲面と前記内壁の間に、前記開口部の開口面に対して平行な平面を有することを特徴とする請求項１記載の携帯端末装置。
【請求項４】
前記額縁部は、
前記平面と前記内壁を接続する曲面を有することを特徴とする請求項３記載の携帯端末装置。
【発明の詳細な説明】
【技術分野】
【０００１】
本発明は、携帯端末装置に関する。
【背景技術】
【０００２】
近年、例えばスマートフォンなどの携帯端末装置には、タッチパネルが搭載されることが多くなっている。タッチパネルは、表示部としての機能と操作部としての機能とを兼ね備えるため、携帯端末装置の限られたスペースを有効利用して視認性及び操作性を向上することができる。
【０００３】
最近では、このような携帯端末装置において、タッチパネルを囲むケース部材から形成される額縁部を狭くする狭額縁化が進められている。狭額縁化されることにより、携帯端末装置の一面に配置されるタッチパネルを大型化することが可能となり、視認性及び操作性をより向上することができる。
【先行技術文献】
【特許文献】
【０００４】
【特許文献１】特開２０１２−２１３０２６号公報
【発明の概要】
【発明が解決しようとする課題】
【０００５】
しかしながら、通常、タッチパネルはガラス部材を利用して形成されるため、例えば携帯端末装置が落下した際の衝撃などにより、タッチパネルが破損することがあるという問題がある。具体的には、例えばタッチパネルを囲む額縁部を下にして携帯端末装置が落下した場合、タッチパネルの端面に対向する額縁部の内壁が落下の衝撃でタッチパネルの端面に衝突し、タッチパネルが破損することがある。
【０００６】
特に、狭額縁化によって額縁部の厚みが薄く形成されている場合には、落下などによる衝撃が額縁部によって十分に吸収されず、額縁部の変形に伴って内壁がタッチパネルの端面に衝突する。結果として、瞬間的に大きな力がタッチパネルに加わり、タッチパネルにひびが入ったり割れたりすることがある。
【０００７】
このような問題は、タッチパネルに特有のものではない。すなわち、例えば単に表示部としての機能を有するディスプレイを備える携帯端末装置においても、外装にガラス部材が用いられることがあり、このガラス部材が周囲の額縁部の内壁との衝突によって破損することがある。また、ガラス部材に限らず、破損しやすい材料で形成される部材がケース部材の額縁部に囲まれて配置される場合には、この部材が破損する虞がある。
【０００８】
開示の技術は、かかる点に鑑みてなされたものであって、ケース部材に囲まれて配置される外装部材の破損を抑制することができる携帯端末装置を提供することを目的とする。
【課題を解決するための手段】
【０００９】
本願が開示する携帯端末装置は、１つの態様において、一面に開口部が形成され、前記開口部を囲む額縁部であって内壁によって前記開口部を形成する額縁部を有するケース部材と、前記開口部に配置され、外縁の端面が前記額縁部の内壁に対向する外装部材とを有し、前記額縁部は、前記内壁よりも前記外装部材から離れた所定の範囲に、任意の接線の接点を通る法線が前記額縁部の内壁の根元を基準として前記外装部材とは反対側を延伸する形状の曲面を有する。
【発明の効果】
【００１０】
本願が開示する携帯端末装置の１つの態様によれば、ケース部材に囲まれて配置される外装部材の破損を抑制することができるという効果を奏する。
【図面の簡単な説明】
【００１１】
【図１】図１は、一実施の形態に係る携帯端末装置の外観を示す斜視図である。
【図２】図２は、図１のＩ−Ｉ線断面を示す図である。
【図３】図３は、額縁部を拡大して示す図である。
【図４】図４は、額縁部の接線と内壁の根元との位置関係を示す図である。
【図５】図５は、一実施の形態に係る額縁部のサイズを説明する図である。
【図６】図６は、携帯端末装置の落下時の様子の一例を説明する図である。
【図７】図７は、一実施の形態に係る携帯端末装置の落下時の様子を説明する図である。
【図８】図８は、他の実施の形態に係る額縁部の形状を示す図である。
【発明を実施するための形態】
【００１２】
以下、本願が開示する携帯端末装置の一実施の形態について、図面を参照して詳細に説明する。なお、この実施の形態により本発明が限定されるものではない。
【００１３】
図１は、一実施の形態に係る携帯端末装置１００の外観を示す斜視図である。図１に示す携帯端末装置１００は、ケース部材１１０及びタッチパネル１２０を有する。
【００１４】
ケース部材１１０は、例えば樹脂材料などから形成され、各種部品を内蔵する携帯端末装置１００の筐体である。ケース部材１１０の一面には、タッチパネル１２０を配置するための開口部が設けられている。この開口部を形成するケース部材１１０の部分を以下では額縁部という。
【００１５】
タッチパネル１２０は、例えばガラス材料などから形成され、ユーザによる接触を検知する。すなわち、ユーザは、タッチパネル１２０に接触して所定の動作をすることにより、携帯端末装置１００を操作することができる。また、タッチパネル１２０は、ガラス材料などの透明な材料を用いて形成されるため、ユーザは携帯端末装置１００内部の液晶モジュールなどに表示された情報をタッチパネル１２０を介して視認することができる。タッチパネル１２０は、ケース部材１１０の開口部に配置され、額縁部に囲まれる外装部材である。具体的には、タッチパネル１２０の一面は露出しているとともに、タッチパネル１２０の外縁の端面はケース部材１１０の開口部を形成する額縁部の内壁に対向する。
【００１６】
図２は、図１のＩ−Ｉ線断面を示す図である。図２に示すように、ケース部材１１０及びタッチパネル１２０によって囲まれる携帯端末装置１００の内部には、液晶モジュール１３０、基板１４０及びバッテリー１５０が実装されている。
【００１７】
上述したように、ケース部材１１０は、携帯端末装置１００の筐体であり、タッチパネル１２０が配置される面には開口部が形成される。
【００１８】
タッチパネル１２０は、例えば両面テープなどによってケース部材１１０に接着される。そして、後述するように、図２中Ａで示す額縁部付近においては、タッチパネル１２０の端面がケース部材１１０の額縁部の内壁に対向する。
【００１９】
液晶モジュール１３０は、タッチパネル１２０側の面に様々な情報を表示する。液晶モジュール１３０に表示される情報は、例えばタッチパネル１２０によって受け付けられるユーザの操作に応じて変化する。
【００２０】
基板１４０は、例えばＣＰＵ（Central Processing Unit）などの部品を搭載する。基板１４０に搭載されるＣＰＵなどの部品によって、例えばタッチパネル１２０によって検知された接触に応じた処理が実行されたり、液晶モジュール１３０の表示を切り替える処理が実行されたりする。
【００２１】
バッテリー１５０は、携帯端末装置１００の各部品に電力を供給する。すなわち、バッテリー１５０は、例えばタッチパネル１２０、液晶モジュール１３０及びＣＰＵなどの部品に電力を供給する。
【００２２】
図３は、図２のＡに示した額縁部付近を拡大して示す図である。図３に示すように、タッチパネル１２０の外縁の端面は、額縁部の内壁１１１に対向する。そして、タッチパネル１２０の端面と額縁部の内壁１１１との間には、微小な隙間があるため、額縁部に衝撃が加えられて内壁１１１がタッチパネル１２０に衝突すると、タッチパネル１２０が破損する虞がある。この点、本実施の形態に係る携帯端末装置１００においては、額縁部が以下のような形状を有するため、内壁１１１がタッチパネル１２０に衝突することを回避することができる。
【００２３】
すなわち、額縁部は、内壁１１１から内壁１１１に垂直な方向の厚みが最も厚い位置１１３と、内壁１１１の根元１１２から内壁１１１の延伸方向の高さが最も高い位置１１４との間に曲面１１５を有する。そして、曲面１１５は、この曲面１１５を押圧する力が加えられた際に、この力によって内壁１１１が根元１１２を支点としてタッチパネル１２０の端面から離れる方向に移動するような形状となっている。
【００２４】
具体的には、曲面１１５は、以下の条件を満たす形状を有する。すなわち、図４に示すように、曲面１１５に対する任意の接線２０１の接点を通る法線２０２と、内壁１１１の根元１１２を通り接線２０１に平行な直線２０３との交点２０４が、内壁１１１を含む平面に関してタッチパネル１２０とは反対側に位置する。換言すれば、曲面１１５に対する任意の接線２０１の接点を通る法線２０２が、内壁１１１の根元１１２を基準としてタッチパネル１２０とは反対側を延伸する。すなわち、曲面１１５に対する任意の接線２０１の接点を通る法線２０２は、内壁１１１を貫通しない。
【００２５】
曲面１１５がこの条件を満たす形状を有することにより、例えば曲面１１５に衝撃が加えられた場合、衝撃による力は法線２０２に沿って作用し、内壁１１１は根元１１２を中心としてタッチパネル１２０から離れる方向に回転する。また、曲面１１５以外の部分に衝撃が加えられた場合は、内壁１１１がタッチパネル１２０の端面の方向へ移動することはない。この結果、内壁１１１がタッチパネル１２０の端面に衝突することはなく、タッチパネル１２０の破損を抑制することができる。
【００２６】
曲面１１５が上記の条件を満たすためには、額縁部が図５に示すサイズであれば良い。すなわち、内壁１１１から曲面１１５上の任意の点２０１ａまでの距離をｘとし、内壁１１１の根元１１２から点２０１ａまでの内壁１１１の延伸方向の高さをｙとすると、距離ｘ及び高さｙは、以下の条件（１）を満たす。
ｘ＞ｙtanθ  …（１）
【００２７】
ただし、θは、点２０１ａにおける接線２０１の法線２０２と内壁１１１の延伸方向との成す角度である。曲面１１５上の任意の点２０１ａが上記の条件（１）を満たすサイズの額縁部であれば、図４に示した法線２０２と直線２０３との交点２０４が、内壁１１１を含む平面に関してタッチパネル１２０とは反対側に位置する。
【００２８】
次いで、上記のように構成された携帯端末装置１００が落下した場合の様子について説明する。以下では、まず比較対象として、一般的な携帯端末装置の落下時の様子について、図６を参照しながら説明する。
【００２９】
図６に示す携帯端末装置は、ケース部材１１及びタッチパネル１２を有している。しかしながら、ケース部材１１の額縁部は、上述した条件（１）を満たしていない。このため、携帯端末装置が落下して床面３００に衝突した場合、ケース部材１１のタッチパネル１２の端面に対向する内壁がタッチパネル１２に衝突することがある。具体的には、床面３００に対する法線３０１とケース部材１１の内壁の根元を通り床面３００に平行な直線３０２との交点３０３は、ケース部材１１の内壁を含む平面に関してタッチパネル１２と同じ側に位置する。換言すれば、床面３００に対する法線３０１がタッチパネル１２に対向する内壁を貫通する。したがって、床面３００との衝突によって発生する力が法線３０１に沿って作用し、額縁部を図６中の矢印の方向へ回転させる力が働く。結果として、ケース部材１１の内壁は、根元を中心としてタッチパネル１２の方向へ回転し、タッチパネル１２の端面に衝突する。
【００３０】
これに対して、図７は、本実施の形態に係る携帯端末装置１００が落下した場合の様子を示す図である。携帯端末装置１００のケース部材１１０の額縁部は、上述した条件（１）を満たしている。このため、携帯端末装置１００が落下して床面３００に衝突しても、ケース部材１１０のタッチパネル１２０の端面に対向する内壁１１１がタッチパネル１２０に衝突することはない。具体的には、床面３００に対する法線２０２と内壁１１１の根元１１２を通り床面３００に平行な直線２０３との交点２０４は、内壁１１１を含む平面に関してタッチパネル１２０と反対側に位置する。換言すれば、床面３００に対する法線２０２がタッチパネル１２０に対向する内壁１１１を貫通しない。したがって、床面３００との衝突によって発生する力が法線２０２に沿って作用し、額縁部を図７中の矢印の方向へ回転させる力が働く。結果として、ケース部材１１０の内壁１１１は、根元１１２を中心としてタッチパネル１２０から離れる方向へ回転し、タッチパネル１２０の端面に衝突することはない。
【００３１】
以上のように、本実施の形態によれば、携帯端末装置の額縁部に曲面を形成し、この曲面の形状を、任意の接線の接点を通る法線がタッチパネルの端面に対向するケース部材の内壁の根元から見てタッチパネルとは反対側を延伸するようにする。これにより、曲面に衝撃が加えられた場合、衝撃が加えられた点における接線の法線に沿って力が作用し、ケース部材の内壁は根元を中心としてタッチパネルから離れる方向に回転する。結果として、内壁がタッチパネルに衝突することがなく、タッチパネルの破損を抑制することができる。
【００３２】
なお、上記一実施の形態においては、曲面１１５の形状が満たすべき条件について説明したが、額縁部の曲面１１５以外の部分については、デザイン性や機能性を考慮して様々な形状とすることができる。そこで、以下では、図８を参照しながら他の実施の形態に係る額縁部の形状について説明する。図８は、他の実施の形態に係る額縁部の形状を示す図である。
【００３３】
図８の上図においては、曲面１１５から内壁１１１へ至る領域に平面４０１が形成されている。すなわち、内壁１１１の根元１１２から内壁１１１の延伸方向の高さが最も高い位置に、タッチパネル１２０が配置される開口部の開口面と平行な平面４０１が形成される。このように平面４０１を形成することにより、例えばタッチパネル１２０側を下にして携帯端末装置１００が落下した場合、平面４０１が床面に衝突する。すなわち、携帯端末装置１００が落下した際に、床面に衝突する面積が比較的大きいため、衝突によって携帯端末装置１００にかかる力を分散させることができ、携帯端末装置１００の破損を抑制することができる。
【００３４】
また、図８の下図においては、曲面１１５から内壁１１１へ至る領域に平面４０２及び曲面４０３が形成されている。すなわち、内壁１１１の根元１１２から内壁１１１の延伸方向の高さが最も高い位置に平面４０２が形成されるとともに、平面４０２と内壁１１１が曲面４０３によって接続される。このように平面４０２を形成することにより、上述した平面４０１を形成する場合と同様に、衝突によって携帯端末装置１００にかかる力を分散させることができる。また、平面４０２のタッチパネル１２０側に曲面４０３を形成することにより、タッチパネル１２０上を移動するユーザの指などが額縁部に引っかかることを防止し、ユーザは滑らかな操作感を得ることができる。
【００３５】
図８においては、２つの具体例を示したが、曲面１１５以外の部分については、他にも様々な形状とすることができる。例えば、図８の下図においては、曲面４０３が上に凸の曲面であるものとしたが、この曲面を下に凸の曲面としても良い。また、曲面４０３の代わりに、平面４０２に対して所定の傾きを有する平面によって平面４０２と内壁１１１を接続しても良い。
【００３６】
なお、上記各実施の形態においては、ガラス材料を用いて形成されるタッチパネル１２０が携帯端末装置１００に配置される場合について説明した。しかしながら、例えばディスプレイの外装パネルがガラス材料を用いて形成され、携帯端末装置に配置される場合などにも、額縁部の形状を上記各実施の形態と同様の形状にしても良い。こうすることにより、携帯端末装置が狭額縁化されても、額縁部に囲まれる部材の破損を抑制することができる。
【符号の説明】
【００３７】
１１０  ケース部材
１１１  内壁
１１２  根元
１１５、４０３  曲面
１２０  タッチパネル
１３０  液晶モジュール
１４０  基板
１５０  バッテリー
４０１、４０２  平面
【図１】
2015211394.tif 000003
【図２】
2015211394.tif 000004
【図３】
2015211394.tif 000005
【図４】
2015211394.tif 000006
【図５】
2015211394.tif 000007
【図６】
2015211394.tif 000008
【図７】
2015211394.tif 000009
【図８】
2015211394.tif 000010